(57)【要約】      （修正有）【課題】飲料毎に出されるアルコールの量を制御し、カウンターに一体化され、幾つかのレクリエーションオプションを顧客に提供する改良バーカウンターを提供する。【解決手段】バーカウンターの構造に一体化される少なくとも一つの目盛り１を備え、前記目盛り１は、提供されるアルコール量を示すと共に、前記バーカウンターの上面に挿入される。【選択図】図１
0003223609.tif 000002
【実用新案登録請求の範囲】
【請求項１】
バーカウンターの構造に一体化される少なくとも一つの目盛り（１）を備えることを特徴とする改良バーカウンター。
【請求項２】
カップ（７）が目盛り（１）に置かれたとき、目盛り（１）は、自動的に起動するよう構成されることを特徴とする、請求項１に記載の改良バーカウンター。
【請求項３】
目盛り（１）は、バーテンダーによって手動で起動されるよう構成されることを特徴とする、請求項１に記載の改良バーカウンター。
【請求項４】
目盛り（１）を保護するよう設計される上部ガラス（２）を備えることを特徴とする、請求項１から３のいずれか一項に記載の改良バーカウンター。
【請求項５】
顧客に対面する第一スクリーン（３）と、バーテンダーに向けた第二スクリーン（４）を備えることを特徴とする、請求項１から４のいずれか一項に記載の改良バーカウンター。
【請求項６】
グラフを使って、飲料の製造過程で提供されるアルコール量を示すよう設定された照明素子（５）を備えることを特徴とする、請求項１から５のいずれか一項に記載の改良バーカウンター。
【請求項７】
目盛り（１）から収集されたデータを格納するよう設定されるコンピュータサポート（６）を備えることを特徴とする、請求項１から６のいずれか一項に記載の改良バーカウンター。
【考案の詳細な説明】
【技術分野】
【０００１】
本考案は、改良バーカウンターに関し、飲料毎に出されるアルコールの量を制御し、カウンターに一体化され、幾つかのレクリエーションオプションを顧客に提供するための特徴の一覧を含み、他と差別化するためのそのようなカウンターを含むバーを与える。
【背景技術】
【０００２】
最近、混合酒、カクテル、及び蒸留酒の製造販売は、ビジネスにおいて益々人気となり、飲酒を円満に楽しむための心地良い環境を提供するように、混合酒及びカクテルの完全な準備が考えられるだけでなく、他のサービスもまた評価される。
【０００３】
それに加えて、飲食店主は、常に顧客を確保しようとし、彼らのビジネスに適切な調整及び親切な環境と共に、彼らのビジネスが他と異なるようにさせることを許容する幾つかの機器又は魅力を提供する。
【０００４】
多くの特徴は、飲料作成の技量の要求される過程で導入される。これらの機器の間で、私達は、例えば飲料を提供する前にグラスを冷やすための低温機器の使用を強調できる。
【考案の概要】
【考案が解決しようとする課題】
【０００５】
同様に、ビデオディスプレーからバーカウンター上での視覚効果へ提供されるサービスを含むインタラクティブなバーカウンターの異なる種類が開発されている。
【０００６】
商標の広報宣伝で使用され、一の場所から他へ動かされるカートでさえも、これらの特徴の促進基盤のため、ブランドの間での識別を与える幾つかの特徴を求め、それは、機器自身が顧客を楽しませるという利益をもたらす。
【課題を解決するための手段】
【０００７】
本考案は、バーカウンターに一体化される少なくとも一つの目盛りを含む改良バーカウンターをここに開示する。目盛りに飲料が置かれた場合、目盛りは、自動モードを使用して起動されるよう設計され、及び目盛りはまた、バーテンダーによる手動モードを使用して起動され、その結果、カップに注がれるアルコールの正確な量が、より愉快で、伝統から外れ、間違いのない方法で提供される。
【０００８】
本考案の改良バーカウンターオブジェクトは、寿命を縮め得る潜在的漏れから目盛りを保護する上部ガラスを含む。
【０００９】
本考案の改良バーカウンターオブジェクトは、顧客に向く第一スクリーン及びバーテンダーに向く第二スクリーンを備え、双方は、飲料の製造過程で提供されるアルコール量を監視できる。
【００１０】
本発明による改良バーカウンターの目盛りは、飲料の製造過程で注がれるアルコール量を、グラフを使って表示するよう設計された照明素子を含む。
【００１１】
最後に、本発明の目盛りオブジェクトはまた、目盛りによって収集されたデータを格納するよう設定されるコンピュータサポートを含み、その結果、アルコールの種類によって区別されるバーで提供される全アルコール量を制御することを許容する。
【図面の簡単な説明】
【００１２】
説明を完結し、本発明の主の特徴の理解を助ける目的で、本明細書は、一組の図を含み、その全体要素として、図のこの組は、限定する目的ではなく以下に示される実例を有する。
【００１３】
【図１】図１は、本考案のバーカウンターオブジェクトの平面図である。
【図２】図２は、本考案のバーカウンターオブジェクトの側面図である。
【００１４】
図で見つけられる異なる参照符号は、以下の要素に対応する。
１  目盛り
２  上部ガラス
３  第一スクリーン
４  第二スクリーン
５  照明素子
６  コンピュータサポート
７  カップ
【考案を実施するための形態】
【００１５】
前述のように、及び図に示されるように、本発明の対象は、一連のデジタル目盛り（１）を一体化するバーカウンターであり、それゆえ、顧客に対して製品をより魅力的にさせ、バーで終日に渡り提供されるアルコール量のより良い制御を雇用主に与える。
【００１６】
本発明のバーカウンターオブジェクトにおけるデジタル目盛り（１）は、バーカウンターの上面に挿入され、上部ガラス（２）により保護される。そのような上部ガラス（２）は、暗色又は背後から光を当てられてよく、そのため、バーカウンターに保護されるデジタル目盛り（１）は、起動まで目に入らない。言い換えれば、デジタル目盛り（１）にカップ（７）がない場合、バーカウンターは、注目されないままであり、内部に収納されたデジタル目盛り（１）があることを誰も想像できない。
【００１７】
カップ（７）が前記デジタル目盛り（１）に置かれたとき、デジタル目盛り（１）は起動し、二つのスクリーン（３，４）である、顧客に対面する第一スクリーン（３）及びバーテンダーに対面する第二スクリーン（４）が起動し、その結果、顧客とバーテンダーの双方が、飲料毎に提供されるアルコール量の制御を有する。
【００１８】
デジタル目盛り（１）は、飲料が準備される間に提供されるアルコール量を示すための照明素子（５）を含む。そのような照明素子（５）は、アルコールがカップ（７）に注がれる間に徐々にライトアップする一連の区画や、適切なアルコール量に達したときに切り替わるカップの周りの円形扇要素であってよい。照明素子（５）は、カップ（７）に提供される適切なアルコール量に到達したとき最大の明るさを持って調整可能な発光強度を提供する。
【００１９】
アルコールの異なる種類は、異なる密度を有するため、本発明によるバーカウンターのデジタル目盛り（１）は、アルコールの異なる種類に応じてカップ（７）の充填体積を監視するよう据え付けられる。
【００２０】
従って、飲料の提供を始める前、バーテンダーは、飲料に使用するアルコールの種類及び（カップ、ワイングラス、ショットグラス・・・）提供する予定の飲料の種類を選択しなければならず、そのため、バーカウンターの照明素子（５）は、光を伴うアルコール量を示すことができ、バーテンダーが各カップ（７）に超過アルコールを注がないよう提供することができ、提供されるアルコール量が正しい量となるよう顧客の制御を許容する。
【００２１】
本発明のバーカウンターオブジェクトにおけるデジタル目盛り（１）は、コンピュータサポート（６）でアルコール種毎の全消費に関するデータを格納し、その結果、販売される飲料、提供される飲料の監視を可能とし、従って、全収入及びバーに保管されるアルコール量の制御を促進する。
【００２２】
そのようなデータは、アルコールの異なる種の保管制御をより良い方法にさせ、消費されないアルコールの在庫を持つことを避け、それ故、アルコール管理上の無駄を防ぐ。
【００２３】
更に、二つの異なる方法が、目盛り（１）の重さを量るために適用されてもよく、すなわち、目盛り（１）を０に設定し、提供されるアルコール飲料を計量する。最初に手動で、目盛り（１）がバーテンダーによって０に設定され、一度カップ（７）が目盛り（１）に置かれて氷が提供されると、バーテンダーは、目盛り（１）を０に設定できる。次に自動で、重量の検知から時間が経過したとき（バーテンダーがカップ（７）を置き、氷を加えるのに掛かる見積時間）、目盛りが０に設定される。
【００２４】
最後に、本発明のバーカウンターオブジェクトは、可動であってよく、カート構造に取り付けられ、バーカウンターのように特定のブランドの定時の広報宣伝で使用され、一の場所から他へ移されてもよい。
【００２５】
本発明の好ましい実施形態の記述は、デジタル目盛り（１）に関して説明したが、本発明は、それらに限定されず、目盛り（１）の他のいかなる種で使用されてもよい。
【００２６】
本発明は、開示の実施形態に限定されない。ここに開示される教示の観点を考慮する他の実施形態は、当業者によって作られる。それゆえ、本発明の範囲は、続く請求の範囲によって規定される。
【図１】
0003223609.tif 000003
【図２】
0003223609.tif 000004
【手続補正書】
【提出日】令和1年8月5日(2019.8.5)
【手続補正１】
【補正対象書類名】実用新案登録請求の範囲
【補正対象項目名】全文
【補正方法】変更
【補正の内容】
【実用新案登録請求の範囲】
【請求項１】
バーカウンターの構造に一体化される少なくとも一つの目盛り（１）を備え、
前記目盛り（１）は、提供されるアルコール量を示すと共に、前記バーカウンターの上面に挿入されることを特徴とする改良バーカウンター。
【請求項２】
目盛り（１）は、バーテンダーによって手動で起動されるよう構成されることを特徴とする、請求項１に記載の改良バーカウンター。
【請求項３】
目盛り（１）を保護するよう設計される上部ガラス（２）を備えることを特徴とする、請求項１又は２に記載の改良バーカウンター。
【請求項４】
顧客に対面する第一スクリーン（３）と、バーテンダーに向けた第二スクリーン（４）を備えることを特徴とする、請求項１から３のいずれか一項に記載の改良バーカウンター。
【請求項５】
グラフを使って、飲料の製造過程で提供されるアルコール量を示すよう設定された照明素子（５）を備えることを特徴とする、請求項１から４のいずれか一項に記載の改良バーカウンター。
【請求項６】
目盛り（１）から収集されたデータを格納するよう設定されるコンピュータサポート（６）を備えることを特徴とする、請求項１から５のいずれか一項に記載の改良バーカウンター。